(57)【要約】      （修正有）【課題】棚などのビス止めを必ずしも必要としない取付けが可能で、移動・後付けが可能なベース家具と、ベース家具を備えた壁面家具構造を提供する。【解決手段】ベース家具は、縦長長方形のパネル状本体で構成され、パネル状本体は、表面側に右方向から見て断面が上下左右逆のＬ形の凹部１３が形成されており、パネル状本体の後面側１５には壁止め用固定金具を備える。壁面に擬した状態になるが、家具なので、移動・後付け可能になっている。凹部１３が壁面取付け物に設けられた逆Ｌ形の掛止め片の掛止め用に利用される。凹部１３に連なるようにコードの通し穴２２を設ければ、電気コードを凹部１３で隠蔽しつつ、通し穴２２から後面側に抜けさせて配線することができる。【選択図】図５
0003232361.tif 000002
【実用新案登録請求の範囲】
【請求項１】
右方向から見て断面が上下左右逆のＬ形の凹部が表面側に形成された壁に擬したパネル状本体と、前記パネル状本体の後面側に設けられた壁止め用固定金具を備えたベース家具であって、
前記壁止め用固定金具で壁面に固定されることで前記壁面に沿って立ち上がった状態になり、前記凹部が壁面取付け物に設けられた掛止め片の掛止め用に利用されることを特徴とするベース家具。
【請求項２】
請求項１に記載したベース家具において、
横板が上下に並べられ、上下で隣り合う横板どうしの境界を利用して表面側に凹部が形成されていることを特徴とするベース家具。
【請求項３】
請求項１または２に記載したベース家具において、
パネル状本体の左右が取外し可能または片開きの扉状の側板で覆われ、且つ、凹部が前記側板側で欠落して後面側と連通し、コードの通し穴になっていることを特徴とするベース家具。
【請求項４】
請求項１から３のいずれかに記載したベース家具において、
凹部の形状及びサイズ、並びにその上下方向のピッチ間隔が一定になっていることを特徴とするベース家具。
【請求項５】
請求項１から４のいずれかに記載したベース家具において、
壁止め用固定金具が、
磁性壁面に重ね合わされる平面を有するマグネット部と、雄ネジ部と前記雄ネジ部に螺合するナットとで構成された螺着構造のうち前記雄ネジ部が前記マグネット部の壁面重ね合わせ平面と反対側から突設した状態で一体化、または、前記ナットが前記マグネット部の壁面重ね合わせ平面と反対側に設けられた状態で一体化された壁面取付け部と、
前記雄ネジ部が挿通する貫通穴と、ベース家具のパネル状本体への固定手段を有する固定部を備え、
前記マグネット部が前記磁性壁面に重ね合わされマグネット吸着され、前記雄ネジ部が前記貫通穴に通され、前記ナットで締着されることで、前記壁面取付け部と前記固定部が一体化され、前記マグネット部が前記磁性壁面上をスライド移動することで、前記固定部に固定されたベース家具のパネル状本体の前記磁性壁面に対する位置が微調整可能になっていることを特徴とするベース家具。
【請求項６】
請求項５に記載したベース家具において、
壁面にビス不要で取付け可能な磁性プレートを備え、
壁面に前記磁性プレートを取り付けて磁性壁面を部分的に形成することを特徴とするベース家具。
【請求項７】
請求項１から４のいずれかに記載したベース家具において、
壁止め用固定金具が、
壁面に対して重ね合わされて固定される平面を有する重ね合わせ部と、前記重ね合わせ部から表面側に突設され、右方向から見て断面が上下逆のＬ形の突起部とで構成された壁面取付け部と、
帯状部分と、ビス止めまたはピン止め用の前後方向に縦長の貫通穴が形成されたベース家具のパネル状本体への固定面部を有する固定部を備え、
前記突起部と前記重ね合わせ部との間に前記帯状部分が下方から差し込まれると共に、
前記固定面部の貫通穴を摺動可能に通してビスまたはピンが前記パネル状本体に対して止められることで、前記壁止め用固定金具を介して、前記パネル状本体の前記壁面に対する位置が微調整可能になっていることを特徴とするベース家具。
【請求項８】
請求項１から７のいずれかに記載したベース家具と、前記ベース家具の凹部に掛止め片が掛止めされる、収納ボックス、本棚、飾り棚等の用途に応じた形状やサイズを有する壁面取付け物とでなる壁面家具構造。
【請求項９】
請求項８に記載した壁面家具構造において、
壁面取付け物には、掛止め側にジェルクッションが設けられており、ベース家具の凹部に掛止め片が掛止めされると、前記ジェルクッションが表面側に当接して掛止め姿勢が維持されることを特徴とする壁面家具構造。
【考案の詳細な説明】
【技術分野】
【０００１】
本考案は、本棚、飾り棚などの壁面取付け物を取り付ける壁面として利用できるベース家具と、このベース家具に壁面取付け物が取り付られた壁面家具構造に関するものである。
【背景技術】
【０００２】
最近では、モジュール規格化された複数のパーツを組み合わせてつくるモジュール方式を採用したシステマチックな家具が、用途や取付け場所に柔軟に対応することができることから流行している。
しかしながら、下から上に積み上げていくので、下よりも大きなものを上に積み上げることはできない。また、隙間無く積み上げるので、例えば、天井近くだけで棚を作っておくようなことはできない。
このように、配置構造には制限があった。
【０００３】
一方、従来から、壁面に対して、本棚などを固定することは行われていた。室内を広く使いながら、その一方で収納空間を確保できることから、人気があった。
最近では、収納だけの実用的な使い方だけでなく、壁面にバッグや帽子を掛けたり、花を飾ったり、絵画や時計を取り付けたりなど、壁面を変更自在なディスプレイとして利用して、趣味を生かせるような使い方も提案されており、このような壁面の利用の仕方も流行している。
これならば、配置構造には有る程度の自由度がある。
しかしながら、壁面に対して固定する際には、従来は、特許文献１に記載のように、ビス止めを利用しており、賃貸住宅の場合には、壁に穴を開けてのビス止めが禁止されているところも多い。また、石膏ボードではそもそもビス止めは不可能なので、持ち家でも固定箇所は案外限定されている。更に、本棚やテレビなどの重量があるものを壁止めすると、時間の経過と共にビスが下がってきて壁面を大きく傷付けたり、脱落して本棚などを倒壊させるなどの問題もあった。
【先行技術文献】
【特許文献】
【０００４】
【特許文献１】特開平６−３０４０２８号公報
【考案の概要】
【考案が解決しようとする課題】
【０００５】
加えて、室内の壁面をビス不要な特殊仕上げにすることも技術上は可能であるが、内装は防火上の観点から制限を受けている。更には、特殊仕上げの壁面では建物と一体になっているので、その壁面だけを建物から取り出して動かすことも、況や引っ越し先まで運んで後付けすることもできない。
本考案は上記従来の問題点に着目して為されたものであり、本棚、飾り棚などのビス止めを必ずしも必要としない取付けを可能とする特殊壁面化しつつ、移動・後付け可能としたベース家具と、このベース家具に壁面取付け物が取り付られた壁面家具構造を提供することを、その目的とする。
【課題を解決するための手段】
【０００６】
本考案は、上記目的を達成するために為されたものであり、請求項１の考案は、右方向から見て断面が上下左右逆のＬ形の凹部が表面側に形成された壁に擬したパネル状本体と、前記パネル状本体の後面側に設けられた壁止め用固定金具を備えたベース家具であって、前記壁止め用固定金具で壁面に固定されることで前記壁面に沿って立ち上がった状態になり、前記凹部が壁面取付け物に設けられた掛止め片の掛止め用に利用されることを特徴とするベース家具である。
【０００７】
請求項２の考案は、請求項１に記載したベース家具において、横板が上下に並べられ、上下で隣り合う横板どうしの境界を利用して表面側に凹部が形成されていることを特徴とするベース家具である。
【０００８】
請求項３の考案は、請求項１または２に記載したベース家具において、パネル状本体の左右が取外し可能または片開きの扉状の側板で覆われ、且つ、凹部が前記側板側で欠落して後面側と連通し、コードの通し穴になっていることを特徴とするベース家具である。
【０００９】
請求項４の考案は、請求項１から３のいずれかに記載したベース家具において、凹部の形状及びサイズ、並びにその上下方向のピッチ間隔が一定になっていることを特徴とするベース家具である。
【００１０】
請求項５の考案は、請求項１から４のいずれかに記載したベース家具において、壁止め用固定金具が、磁性壁面に重ね合わされる平面を有するマグネット部と、雄ネジ部と前記雄ネジ部に螺合するナットとで構成された螺着構造のうち前記雄ネジ部が前記マグネット部の壁面重ね合わせ平面と反対側から突設した状態で一体化、または、前記ナットが前記マグネット部の壁面重ね合わせ平面と反対側に設けられた状態で一体化された壁面取付け部と、前記雄ネジ部が挿通する貫通穴と、ベース家具のパネル状本体への固定手段を有する固定部を備え、前記マグネット部が前記磁性壁面に重ね合わされマグネット吸着され、前記雄ネジ部が前記貫通穴に通され、前記ナットで締着されることで、前記壁面取付け部と前記固定部が一体化され、前記マグネット部が前記磁性壁面上をスライド移動することで、前記固定部に固定されたベース家具のパネル状本体の前記磁性壁面に対する位置が微調整可能になっていることを特徴とするベース家具である。
【００１１】
請求項６の考案は、請求項５に記載したベース家具において、壁面にビス不要で取付け可能な磁性プレートを備え、壁面に前記磁性プレートを取り付けて磁性壁面を部分的に形成することを特徴とするベース家具である。
【００１２】
請求項７の考案は、請求項１から４のいずれかに記載したベース家具において、壁止め用固定金具が、壁面に対して重ね合わされて固定される平面を有する重ね合わせ部と、前記重ね合わせ部から表面側に突設され、右方向から見て断面が上下逆のＬ形の突起部とで構成された壁面取付け部と、帯状部分と、ビス止めまたはピン止め用の前後方向に縦長の貫通穴が形成されたベース家具のパネル状本体への固定面部を有する固定部を備え、前記突起部と前記重ね合わせ部との間に前記帯状部分が下方から差し込まれると共に、前記固定面部の貫通穴を摺動可能に通してビスまたはピンが前記パネル状本体に対して止められることで、前記壁止め用固定金具を介して、前記パネル状本体の前記壁面に対する位置が微調整可能になっていることを特徴とするベース家具である。
【００１３】
請求項８の考案は、請求項１から７のいずれかに記載したベース家具と、前記ベース家具の凹部に掛止め片が掛止めされる、収納ボックス、本棚、飾り棚等の用途に応じた形状やサイズを有する壁面取付け物とでなる壁面家具構造である。
請求項９の考案は、請求項８に記載した壁面家具構造において、壁面取付け物には、掛止め側にジェルクッションが設けられており、ベース家具の凹部に掛止め片が掛止めされると、前記ジェルクッションが表面側に当接して掛止め姿勢が維持されることを特徴とする壁面家具構造である。
【考案の効果】
【００１４】
本考案のベース家具は、壁面に擬して、本棚、飾り棚などのビス止めを必ずしも必要としない取付けを可能とするように工夫されている一方で、あくまでも家具なので移動・後付け可能になっている。
このベース家具を利用すれば、上記したようなモジュール家具や本棚や飾り棚を設置する場合に、配置構造には従来に無かった自由度が確保されている。
【図面の簡単な説明】
【００１５】
【図１】ベース家具の表面図である。
【図２】図１のベース家具のパネル状本体の後面側から見た斜視図である。
【図３】図１から側板を取り外した状態の斜視図である。
【図４】図３の表面図および側面図である。
【図５】図４のＡ部分とＢ部分の拡大図である。
【図６】図４の一枚の横板の表面図および側面図である。
【図７】図２のベース家具の幕板を装着した状態の斜視図である。
【図８】図７の壁止め用固定金具の斜視図である。
【図９】図８の壁止め用固定金具の平面図と前面図と側面図である。
【図１０】図８とは別の壁止め用固定金具の斜視図である。
【図１１】図１０の壁止め用固定金具の使用に際して併用する磁性プレートの非磁性壁面への固定方法の説明図である。
【図１２】図１０の壁止め用固定金具と図１１の磁性プレートの併用状態のイメージ図である。
【図１３】図１のベース家具に３個の収納ボックスを掛止めした状態の前面図である。
【図１４】図１３の収納ボックスの掛止め状態の断面図である。
【図１５】図１のベース家具に飾り棚を掛止めした状態の前面図である。
【図１６】図１のベース家具に照明器具を掛止めした状態の前面図である。
【図１７】図１６から側板を取り外した状態の側面図である。
【図１８】図８、図１０とは別の壁止め用固定金具の斜視図である。
【考案を実施するための形態】
【００１６】
以下、本考案の実施の形態に係るベース家具１について、図面にしたがって説明する。
図１、図２に示すように、ベース家具１は縦長長方形のパネル状本体３で構成されており、室内の壁面に沿って単独で設置することも、横に隙間なく並べて複数設置することもできる。厚みは抑えられているので、厚み方向の側面が露出していても、家具を設置したようには見えず、室内の壁面の一部を成しているように見える。
【００１７】
図３、図４に示すように、パネル状本体３の主部４では、横長長方形の横板７、７、……が板面を前後方向に向けた状態で上下に並べられており、室内を向いた側が表面側５になっている。横板７、７、……の左右方向の端面７ａ、７ａ、……は揃えられている。
図５、図６に示すように、横板７の上端面の凹凸条構造９と下端面の凹凸条構造１１は、下段の横板７に上段の横板７が凹凸係合するように対応しており、上下で横板７、７どうしが凹凸係合して一体化されている。
表面側５では、横板７の下端面の凹凸条構造１１の角隅部が右方向から見て断面四角形状に切り欠かれて、段差部１１ａが形成されている。一方、横板７の上端面は右方向から見て断面縦長長方形の凹条溝９ａが形成されている。
上記した凹凸係合状態では、上段の横板７の下端面の段差部１１ａと、下段の横板７の凹条溝９ａが上下で合体しており、右方向から見て、断面が上下左右逆のＬ形の凹部１３になっている。
凹条溝９ａに隣り合って表面側５が相対的に隆起して、凸条部９ｂになっている。
凹部１３は表面側５に上下方向に同じピッチ間隔で存在する。
上下で隣り合う横板７、７どうしの境界を利用して上記したように凹部１３が簡単な切削により形成されている。
【００１８】
横板７の下端面の段差部１１ａは左右方向両端が均等に切除されて欠落しており、その段差部１１ａの左右方向の端面１１ｂは、横板７の左右方向の端面７ａよりも左右方向内方に少し後退した位置にある。
この欠落部分により、主部４は前後方向に連通している。
主部４の後面側１５には、左右方向に延びた小凹条溝１５ａ、１５ａ、……が同じピッチで形成されているが、これは割れ防止のために設けられたものである。
【００１９】
主部４の後面側１５には、角材が裏当て支持されている。この角材は断面正方形の縦材１７ａ、１７ａと横材１７ｂ、１７ｂ、１７ｂとでなり、格子状に架け渡されて、上下方向に３つの四角形の枠が並んだ状態になっている。
縦材１７ａ、１７ａは主部４を超えて上下方向に延びており、その上方向の端面には天板１９が合わせられて覆われている。
また、横材１７ｂ、１７ｂ、１７ｂのそれぞれの左右方向両端面は、主部４の横板７、７、……の左右方向両端面７ａ、７ａ、……とそれぞれ揃えられており、そこに左右方向外方からそれぞれ側板２１、２１が合わせられて覆われている。この側板２１はボルトナット締結により天板１９や横材１７ｂに対して固定されており、必要に応じて取外しが可能になっている。
側板２１、天板１９、側板２１は連なって枠体を構成しており、主部４だけでなく、縦材１７ａ、１７ａと横材１７ｂ、１７ｂ、１７ｂも囲んでおり、前側では、主部４の表面側５とほぼ面一になっており、後側では縦材１７ａ、１７ａ、横材１７ｂ、１７ｂ、１７ｂとほぼ面一になっている。
【００２０】
横板７の下端面の段差部１１ａの端面１１ｂが左右方向内方に後退しており、主部４はこの隙間を介して前後方向に連通しているが、左右方向外方から側板２１、２１が合わせられているので、この隙間は左右方向が閉じられて前後方向にのみ連通する穴になっている。この穴は段差部１１ａの部分に形成されており、必要以上には大きくなっておらず、コードを通す通し穴２２として利用される。
主部４の上側では天板１９との間に隙間があいているが、そこは、着脱自在に幕板２３が嵌められるようになっており、幕板２３を取り外した状態で後述の固定作業を行うことができる。また、主部４の下側でも床面との間に隙間が空いているがそこには巾木２４が嵌められており、同様に取外し可能になっている。
【００２１】
ベース家具１のパネル状本体３は上記のように構成されており、後面側１５を壁面に重ね合わせて設置できるようになっている。前方から見ると、パネル状本体３は壁面を小さな通し穴２２を除いてほぼ完全に隠しており、天井近くまでの高さになっていれば、複数並べることでその室内の元の壁面をほぼ完全に隠すことができる。
図７に示すように、縦材１７ａと横材１７ｂが直交する角隅部を利用して、壁止め用固定金具２５を介してパネル状本体３が壁面に対して固定される。
この壁止め用固定金具２５は、図８、図９に示すように、壁面取付け部２７と、固定部３５とに分離可能になっている。
この壁面取付け部２７の主部をなすマグネット部２９の下側の平面が壁面重ね合わせ平面２９ａになっている。マグネット部２９の上面からは軸状の雄ネジ部３１が突設されている。この雄ネジ部３１はナット３３が螺合する。
【００２２】
固定部３５は一枚のプレートを折り曲げて成形されて、コーナープレート状になっており、底面部３７には丸い貫通穴３７ａが形成されている。この貫通穴３７ａには雄ネジ部３１は通り抜けられる。
底面部３７の辺縁部に沿ってそれぞれ固定片３９、３９がほぼ垂直に同じ側に折り曲げられて起立した状態になっている。固定片３９には２つの丸い貫通穴３９ａ、３９ａが間隔をあけて形成されている。この貫通穴３９ａはビス４１やピンの挿通穴として利用される。固定片３９の外面３９ｂは平面になっており、パネル状本体３の被固定部の平面部分に重ね合わされる。接着剤の塗布面や両面テープの貼着面としても使用可能になっている。
【００２３】
壁面取付け部２７側の雄ネジ部３１が固定部３５側の貫通穴３７ａに通されて、雄ネジ部３１の先端側を固定片３９、３９側に突出させ、更に、ナット３３に締着されると、壁面取付け部２７と固定部３５が一体化される。マグネット部２９の壁面重ね合わせ平面２９ａが磁性面に重ね合わされると、マグネットの有する吸着力によりその磁性面に対して吸着される。マグネットの吸着方向が軸方向であるので、スライド方向であれば、軸方向に脱着させる場合に比べてその１／３〜１／１０程度の力で動かすことができる。従って、ベース家具１のパネル状本体３の壁面に対する位置を微調整することが可能となる。
また、ナット３３を緩めて雄ネジ部３１を取り外すことで、壁面取付け部２７と、固定部３５は分離できるので、壁面取付け部２７側を壁面に残したまま、固定部３５側をパネル状本体３と共に壁面から取り外すことができる。
【００２４】
縦材１７ａと横材１７ｂが直交する角隅部に、壁止め用固定金具２５の固定部３５を寄せて、一対の固定片３９、３９のそれぞれの外面３９ｂ、３９ｂを重ね合わせ、貫通穴３９ａにビス４１を通し、更に縦材１７ａまたは横材１７ｂに向かって穿通させてビス止めすると、パネル状本体３が固定される。幕板２３を取り外した状態でこの作業を行えるので、作業は容易になっている。
【００２５】
通常の室内では、壁面は石膏ボードで構成されており、非磁性壁面になっているが、図１１に示すように、鉄などを素材とした磁性プレート４３を利用して磁性壁面にすることができる。その縁に沿って六箇所に形成された丸い貫通穴４３ａ、４３ａ、……に、針４５ａ、４５ａ、……の付いたピース４５を嵌め込み、針４５ａ、４５ａ、……を軸方向に向かって押し当てて、非磁性壁面側に穿通させると、磁性プレート４３が非磁性壁面に対して固定される。針４５ａ、４５ａ、……は交差関係になっているので、それぞれは細くとも強固に固定される。キャップ４７を被せることで、針４５ａ、４５ａ、……は隠れる。
ビス不要なので任意の壁面に、磁性プレート４３を取り付けることができる。
【００２６】
壁止め用固定金具２５では、固定部３５がコーナープレート状になっているが、マグネット利用の別タイプの壁止め用固定金具１２５では、図１０に示すように、固定部１３５が長方形のプレートを長辺方向中心付近で折り曲げた単純なＬ型アングルで構成されており、その一方の片にマグネット部２９が取り付けられ、他方の片に貫通穴３９ａが形成されている。
この壁止め用固定金具１２５は、縦材１７ａに合わせる必要が無いので、縦材１７ａと横材１７ｂが直交する角隅部より左右方向内方寄りに設置できる。
磁性プレート４３を壁面に取り付けると、キャップ４７の箇所が盛り上がるが、この壁止め用固定金具１２５を用いれば、図１２に示すように、キャップ４７を壁止め用固定金具１２５や縦材１７ａ、横材１７ｂに当たらない箇所に配置できる。
【００２７】
図１３に示すように、前面が開口した収納ボックス４９がある。このタイプの収納ボックスはモジュール家具として販売されており、複数積み上げた状態で室内の壁面に沿って設置されているが、収納ボックス４９はベース家具１に取り付けることができるようになっている。収納ボックス４９には、図１４に示すように、後面に向かって逆Ｌ形状に突出した掛止め片５１が固定されており、この掛止め片５１の突出部分をパネル状本体３の凹部１３に差込み、凸条部９ｂを掛止め片５１で挟み込むことで掛止めされる。
掛止め片５１の下側にはスチレン系ポリマー製のジェルクッション５２が固定されており、掛止め片５１が掛止めされると、ジェルクッション５２が表面側５の横板７に当接して貼り付く。
【００２８】
収納ボックス４９はベース家具１に対して取り付けられており、収納ボックス４９、４９、……どうしは、上下左右方向で干渉し合わない限りは自由に配置することができ、互いに上下左右に隙間なく並べることも隙間をあけて並べることも可能である。
従って、図１３に示すように、収納ボックス４９、４９、……を横方向に隙間なく並べることで、その上面４９ａ、４９ａ、……を横方向に延びた大きな一つの棚として利用できる。収納ボックス４９は、上下方向の長さ寸法を凹部１３のピッチ間隔の倍数に規格化することで、上下方向にも隙間なく並べることも可能になっている。
また、収納ボックス４９は、左右方向や奥行の長さ寸法を異ならせることも可能になっている。
収納ボックス４９はミニ家具の一種であり、収納されるものによってはそれなりに荷重が大きくなるが、上記のように横板７と貼付きの相性の良いジェルクッション５２付きにすることで、ズレ止め防止及び収納ボックス４９の落下防止が図れる。室内の壁紙には貼り付き難くなっているものがあるが、このように、ジェルクッション５２を併用することで、重量の有るミニ家具であっても床面に置くのではなく、壁に擬したベース家具１に取り付けることが可能となる。
【００２９】
図１５に示すように、飾り棚５３は、複数の区画に分かれており、カプセルトイ等の小さな飾り物を区画内に入れて飾ることができるようになっている。この飾り棚５３にも、掛止め片５１、５１が固定されており、収納ボックス４９と同様にベース家具１に対して取り付けられている。このように、壁面をディスプレイのように使うことができる。
【００３０】
図１６、図１７に示すように、照明器具５５も取り付けることができる。この照明器具５５の電球５５ａは球形になっており、座部５５ｂに着座した状態になっている。この座部５５ｂには背当て部が設けられ、この背当て部の背面に掛止め片５１が固定されており、収納ボックス４９と同様にベース家具１に対して取り付けられている。
電球５５ａには電気コード５５ｃが接続されており、この電気コード５５ｃは、図１７の側板２１を取り外した状態で示すように、通し穴２２を通って後面側１５に抜けている。電気コード５５ｃの先端は商用電源に繋ぐためのプラグになっており、壁面に配設されたコンセントに差し込むことで、この照明器具５５を点灯させることができる。
側板２１を取り付けると、電気コード５５ｃは通し穴２２から先は隠された状態になる。
照明器具５５をパネル状本体３の中央に配置した場合には、電気コード５５ｃが通し穴２２まで延ばされることになるが、凹部１３の凹条溝９ａの底面に這わせることで視界から隠すことができる。
【００３１】
通常の壁であれば、工事無しに電気コードを配線・隠蔽させることは不可能であるが、ベース家具１を利用することで、上記したように、電気コードを隠蔽させることができる。
電気コードの本数が少なければベース家具１を壁面に対して固定した状態のまま、側板２１を開けば、フロントアクセスにより配線処理が可能であり、配線の変更や削除も同様に可能になっている。
【００３２】
ＴＶ機器等本数が多くなれば、パネル状本体３を一旦取り外して配線処理をすることになるが、その場合でも、パネル状本体３の取外しと再取付けだけで済む。
また、壁面を複数のベース家具１、１、……を並べて、必要に応じて、その一つのベース家具１の表面側５を加工してＴＶ機器を設置したときに、そのＴＶ機器を取り外すと加工されたベース家具１の加工面が見えるようになるが、その加工面が見えるのが気に入らない場合には、そのベース家具１だけを交換すればよい。
【００３３】
掛止め片５１は収納ボックス４９等とは別体の金具で構成されており、上記の収納ボックス４９のように予め一体化された専用品だけでなく、バスケットやフックや飾り物に掛止め片５１を後付けで固定することで、ベース家具１に取付け可能なオリジナル品を作り出すことができる。
【００３４】
図１８に示すように、別の壁止め用固定金具５７を利用することもできる。
この壁止め用固定金具５７の壁面取付け部５９は、壁面に重ね合わされる平面を有する板状の重ね合わせ部６１と、重ね合わせ部６１から表面側に突設され、右方向から見て断面が上下逆のＬ形の突起部６３とでなる。重ね合わせ部６１には上下に貫通穴６１ａ、６１ａ、……が形成されており、重ね合わせ部６１の後面を壁面に重ね合わせ、その貫通穴６１ａにピンやビスを挿通させ、更に壁面に穿通させることで固定される。
固定部６５は一枚の四角形の板状体を切り欠いて、四角形の大きな貫通穴が設けられている。この貫通穴は一つの辺縁に寄っており、その辺縁は細長い帯状部分６５ａになっている。この帯状部分６５ａの長さ方向両端部は繋がって閉ループをなしている。帯状部分６５ａには穴縁に沿って切込みが形成されており、その切込みを利用して垂直に折り曲げられた折り曲げ片６５ｂが連設されている。また、パネル状本体３側に固定される固定面部６５ｄには一対の貫通穴６５ｃ、６５ｃが形成されている。貫通穴６５ｃは前後方向に縦長の穴になっている。
【００３５】
突起部６３と重ね合わせ部６１との間に帯状部分６５ａが下方から差し込まれる。また、ビスまたはピンが貫通穴６５ｃ、６５ｃを摺動可能に通され、更にパネル状本体３の横材１７ｂに穿孔されて止められる。壁面取付け部５９に対しては、固定部６５側の折り曲げ片６５ｂが摺動しつつ、帯状部分６５ａが上下方向に移動可能になっている。また、固定部６５に対しては、パネル状本体３が前後方向に移動可能になっている。
従って、壁止め用固定金具５７を介して、パネル状本体３の壁面に対する位置が微調整可能になっている。
【００３６】
壁止め用固定金具５７はビス等を利用して壁面に対して固定するので、従来の技術の欄でも記載したように固定場所が限定されたり、そもそも利用が不可能な場合もあるが、ビス止め等が可能な箇所がある場合には、その限られた箇所をマグネット部２９を利用した壁止め用固定金具２５等と併用することで、壁面によりしっかりと固定することができる。ビス跡が残るにしても、収納ボックス４９等の壁面取付け物ごとにビス止めする必要がない。
【００３７】
以上、本考案の実施の形態について詳述してきたが、具体的構成は、この実施の形態に限られるものではなく、本考案の要旨を逸脱しない範囲における設計の変更などがあっても考案に含まれる。
いずれにしても、実用新案登録請求されている形状等を除いては、本考案の範囲は限定されず、本考案の効果が得られれば、従来からあるまたは将来案出される形状や素材を任意に組み合せることができる。
【符号の説明】
【００３８】
１…ベース家具      ３…パネル状本体    ４…主部            ５…表面側
７…横板            ７ａ…端面          ９…凹凸条構造      ９ａ…凹条溝
９ｂ…凸条部      １１…凹凸条構造    １１ａ…段差部      １１ｂ…端面
１３…凹部          １５…後面側        １５ａ…小凹条溝    １７ａ…縦材
１７ｂ…横材        １９…天板          ２１…側板          ２２…通し穴
２３…幕板          ２４…巾木          ２５…壁止め用固定金具
２７…壁面取付け部  ２９…マグネット部  ２９ａ…壁面重ね合わせ平面
３１…雄ネジ部      ３３…ナット        ３５…固定部        ３７…底面部
３７ａ…貫通穴      ３９…固定片        ３９ａ…貫通穴      ３９ｂ…外面
４１…ビス          ４３…磁性プレート  ４３ａ…貫通穴      ４５…ピース
４５ａ…針          ４７…キャップ      ４９…収納ボックス  ４９ａ…上面
５１…掛止め片      ５２…ジェルクッション                  ５３…飾り棚
５５…照明器具      ５５ａ…電球        ５５ｂ…座部        ５５ｃ…電気コード
５７…壁止め用固定金具                  ５９…壁面取付け部  ６１…重ね合わせ部
６１ａ…貫通穴      ６３…突起部        ６５…固定部        ６５ａ…帯状部分
６５ｂ…折り曲げ片  ６５ｃ…貫通穴      ６５ｄ…固定面部
１２５…壁止め用固定金具                １３５…固定部
【図１】
0003232361.tif 000003
【図２】
0003232361.tif 000004
【図３】
0003232361.tif 000005
【図４】
0003232361.tif 000006
【図５】
0003232361.tif 000007
【図６】
0003232361.tif 000008
【図７】
0003232361.tif 000009
【図８】
0003232361.tif 000010
【図９】
0003232361.tif 000011
【図１０】
0003232361.tif 000012
【図１１】
0003232361.tif 000013
【図１２】
0003232361.tif 000014
【図１３】
0003232361.tif 000015
【図１４】
0003232361.tif 000016
【図１５】
0003232361.tif 000017
【図１６】
0003232361.tif 000018
【図１７】
0003232361.tif 000019
【図１８】
0003232361.tif 000020